(57)【要約】【課題】持ち運び自在で、任意の部位に取り付けて容易に照明を行える照明具付化粧部材を提供する。【解決手段】板状本体２と、この板状本体２の一端部に設けられ当該板状本体２の表裏面のいずれかの面を照らす光源３とを備え、持ち運び自在な照明具付化粧部材１を構成する。そのため、その照明具付化粧部材を任意の部位、例えば階段のそれぞれの段板に取り付けることができる。また、照明具付化粧部材の光源に電気を接続すれば容易に照明を行えるので、例えば階段に用いることで、それぞれ下側の段板を照らすことができるようになり、その結果、階段の段板の照明を簡単な構造で行うことができる。【選択図】図１
2004197438.tif 000002
【特許請求の範囲】
【請求項１】
所定の部位に取り付けて使用される照明具付化粧部材であって、板状本体と、この板状本体の一端部に設けられ当該板状本体の表裏面のいずれかの面を照らす光源とを備え、持ち運び自在となっていることを特徴とする照明具付化粧部材。
【請求項２】
請求項１に記載の照明具付化粧部材において、前記板状本体の一端部には、前記光源により照らされる被照明部面側に厚さが前記板状本体より厚い突出部が形成され、この突出部の内側には前記光源を収容する空間部が形成されていることを特徴とする照明具付化粧部材。
【請求項３】
請求項１または請求項２に記載の照明具付化粧部材において、前記光源は発光ダイオード（ＬＥＤ）であることを特徴とする照明具付化粧部材。
【請求項４】
請求項１ないし請求項３のいずれかに記載の照明具付化粧部材において、前記板状本体は樹脂を押し出し成形して形成された樹脂押出成形品であることを特徴とする照明具付化粧部材。
【請求項５】
請求項４に記載の照明具付化粧部材において、前記樹脂は木粉入り樹脂であることを特徴とする照明具付化粧部材。
【請求項６】
請求項１ないし請求項５のいずれかに記載の照明具付化粧部材を用いた階段の照明構造であって、前記階段の段板の前端部に当該階段の蹴込板を構成する化粧蹴込板が設けられ、前記板状本体は前記段板に被せられるとともに、前記突出部内面を前記化粧蹴込板に当接して設けられていることを特徴とする階段の照明構造。
【請求項７】
請求項６に記載の階段の照明構造であって、前記化粧蹴込板の上端と、前記段板の上面との間には所定の隙間が形成されていることを特徴とする階段の照明構造。
【請求項８】
請求項６または請求項７に記載の階段の照明構造において、前記階段の段板には、前記板状本体に設けられた光源に接続する配線用の穴があけられていることを特徴とする階段の照明構造。
【請求項９】
請求項６または請求項７に記載の階段の照明構造において、前記板状本体に設けられた光源に接続する電線が、前記板状本体の一端部の空間部を通りかつ板状本体の長さ方向に沿って設けられていることを特徴とする階段の照明構造。
【請求項１０】
請求項６ないし請求項９のいずれかに記載の階段の照明構造において、前記板状本体の突出部の上面および前面の少なくともいずれかの面に、前記空間部に収容された前記光源からの光を外部に放射する採光穴が形成されていることを特徴とする階段の照明構造。
【発明の詳細な説明】
【０００１】
【発明の属する技術分野】
本発明は、任意の部位に取り付けて使用することができる照明具付化粧部材およびその照明具付化粧部材を用いた階段の照明構造に関する。
【０００２】
【背景技術】
従来、室内の階段等を歩行する際、夜等暗いときでも容易に歩行できるように、階段の段板ごとに照明を行う足元灯ユニットが知られている（例えば、特許文献１参照）。
この足元灯ユニットでは、階段の踏板（段板）の裏面前側に凹みが形成されており、蹴込板の上部には開口が形成されている。そして、これらの凹みおよび開口に足元灯ユニットが設けられている。
【０００３】
【特許文献１】
特許第３２３１７０２号公報（特に第２頁、図１参照）
【０００４】
【発明が解決しようとする課題】
しかし、前記従来技術では、階段の段板ごとに凹みを形成し、蹴込板ごとに開口を形成しなくてはならず、製作に多くの手間がかかるという問題がある。
また、階段の段板等をリフォームする必要が生じたとき、一段一段の段板および蹴込板の全体を取り替えなくてはならず、多くの手間がかかるとともに、費用も嵩むという問題もある。
【０００５】
ところで、予め板部材に照明具を設けて持ち運び自在な照明具付化粧部材のようなものがあると、例えば階段の段板等に被せるだけで容易に階段の段板の照明を行えるし、リフォームの際でも、所定の段板部と交換するだけなので容易に行える。そのため、持ち運び自在で、任意の部位に取り付けて容易に照明を行えるものが望まれている。
【０００６】
本発明の目的は、持ち運び自在で、任意の部位に取り付けて容易に照明を行える照明具付化粧部材を提供することにある。
【０００７】
本発明の他の目的は、階段の段板の照明を簡単な構造で容易に行えるとともに、リフォームが容易となる階段の照明構造を提供することにある。
【０００８】
【課題を解決するための手段】
請求項１に記載の発明は、図面を参照して説明すると、図１に示すように、所定の段部に取り付けて使用される照明具付化粧部材１であって、板状本体２と、この板状本体２の一端部に設けられ当該板状本体２の表裏面のいずれかの面を照らす光源３とを備え、持ち運び自在となっていることを特徴とする照明具付化粧部材１である。
【０００９】
このような本発明によれば、照明具付化粧部材が持ち運び自在なので、その照明具付化粧部材を任意の部位、例えば階段のそれぞれの段板に取り付けることができる。また、照明具付化粧部材の光源に電気を接続すれば容易に照明を行えるので、例えば階段に用いることで、それぞれ下側の段板を照らすことができるようになり、その結果、階段の段板の照明を簡単な構造で行うことができる。
この発明において、照明具付化粧部材は、階段の段板に取り付けて階段の照明用に利用するだけでなく、例えば照明具付化粧部材を巾木に取り付けてホール用に利用してもよく、あるいは上り框に取り付けて玄関用に利用してもよい。
【００１０】
請求項２に記載の発明は、図１に示すように、請求項１に記載の照明具付化粧部材において、前記板状本体２の一端部には、前記光源３により照らされる被照明部面側に厚さが前記板状本体２より厚い突出部２Ａが形成され、この突出部２Ａの内側には前記光源３を収容する空間部２Ｃが形成されていることを特徴とするものである。
このような本発明によれば、光源が空間部内に収容されているので、光源が保護される。従って、照明具付化粧部材を例えば階段に取り付けて足元灯として使用したとき、階段の上り下り時に足が当たったりすることがなく、長寿命化を図れる。また、空間部を配線にも利用できる。
【００１１】
請求項３に記載の発明は、図１に示すように、請求項１または請求項２に記載の照明具付化粧部材において、前記光源３は発光ダイオード（ＬＥＤ）であることを特徴とするものである。
このような本発明によれば、電気代が安い上に、故障がほとんどなくてメンテナンスがほとんど不要となり、その分の手間を省ける。
【００１２】
請求項４に記載の発明は、図面を参照して説明すると、図１に示すように、請求項１ないし請求項３のいずれかに記載の照明具付化粧部材において、前記板状本体２は樹脂を押し出し成形して形成された樹脂押出成形品であることを特徴とするものである。
このような本発明によれば、板状本体を樹脂押出成形品で形成できるので、製作が容易であるとともに、必要に応じて多数の板状本体を寸法精度を維持して容易に形成できる。
【００１３】
請求項５に記載の発明は、図１に示すように、請求項４に記載の照明具付化粧部材において、前記樹脂は木粉入り樹脂であることを特徴とするものである。
このような本発明によれば、照明具付化粧部材の板状本体が木粉入り樹脂の押出成形品で形成されているので、木材の雰囲気を得ることができる。従って、照明具付化粧部材を、例えば階段の段板に取り付けて違和感がなく、見映えもよい。また、長寿命化を図れる。
【００１４】
請求項６に記載の発明は、図２に示すように、請求項１ないし請求項５のいずれかに記載の照明具付化粧部材を用いた階段の照明構造であって、前記階段１０の段板１２の前端部に当該階段１０の蹴込板１３を構成する化粧蹴込板１３Ｂが設けられ、前記板状本体２は前記段板１２に被せられるとともに、前記突出部２Ａ内面を前記化粧蹴込板１３Ｂに当接して設けられていることを特徴とするものである。
【００１５】
このような本発明によれば、照明具付化粧部材を段板と化粧蹴込板とにわたって被せ、照明具付化粧部材の光源に電源を接続すれば、階段の段板を照明することができるので、簡単な構造で容易に階段の照明を行うことができる。
また、階段のリフォームの際にも、所定の段板に代えて照明具付化粧部材を取り付ければよく、リフォームが容易である。
さらに、板状本体の一端部の突出部が段板の段鼻部を形成することになり、段板と蹴込板との間に段鼻部を新たに形成しなくてもよく、その分の製作の手間が不要となる。
【００１６】
請求項７に記載の発明は、図３に示すように、請求項６に記載の階段の照明構造であって、前記化粧蹴込板１３Ｂの上端と、前記段板１２の上面との間には所定の隙間Ｓが形成されていることを特徴とするものである。
このような本発明によれば、化粧蹴込板の上端と、段板の上面との間に所定の隙間が形成されているので、この隙間を電気配線用に利用することができ、電気配線が容易となる。
【００１７】
請求項８に記載の発明は、図３に示すように、請求項６または請求項７に記載の階段の照明構造において、前記階段１０の段板１２には、前記板状本体２に設けられた光源３に接続する配線用の穴１２Ａがあけられていることを特徴とするものである。
このような本発明によれば、電線を配線用の穴に挿通させるとともに、段板の裏側に引っ張ってまとめることができるので、電気配線が段板の表側に表れず、階段の上り下りの邪魔とならず、また見映えがよい。
【００１８】
請求項９に記載の発明は、図５に示すように、請求項６または請求項７に記載の階段の照明構造において、前記板状本体２に設けられた光源３に接続する電線４が、前記板状本体２の一端部の空間部２Ｃを通りかつ板状本体２の長さ方向に沿って設けられていることを特徴とする階段の照明構造である。
このような本発明によれば、電気配線が、板状本体の空間部を通りかつ段板の幅方向に沿って設けられているので、配線作業が容易であるとともに、電気配線用の穴を、例えば段板にあけなくてもすむので、その分の手間が省ける。
【００１９】
請求項１０に記載の発明は、図６に示すように、請求項６ないし請求項９のいずれかに記載の階段の照明構造において、前記板状本体２の突出部２Ａの上面および前面の少なくともいずれかの面に、前記空間部２Ｃに収容された前記光源３からの光を外部に放射する採光穴２Ｇが形成されていることを特徴とするものである。
このような本発明によれば、空間部から得られる光の他に、採光穴からも光が得られるので、階段の足元がより明るくなる。
【００２０】
【発明の実施の形態】
以下に、本発明に係る照明具付化粧部材および階段の照明構造の実施形態を、図面に基づいて説明する。
図１には、第１実施形態の照明具付化粧部材１が示されている。この照明具付化粧部材１は、板状本体２と、この板状本体２に取り付けられた光源である電灯３とを備え構成され、持ち運び自在となっている。そして、後に詳細を述べるように、例えば階段１０の段板１２（図２参照）に取り付けて使用される。
【００２１】
板状本体２は、長さ寸法Ｌが幅寸法Ｗより大きな平面矩形状に形成され、幅方向一端部には、表面側から裏面に向かう方向に突出する突出部２Ａが板状本体２の長さ方向に連続して形成されている。この突出部２Ａの内側には、板状本体２の厚さよりわずかに厚い膨出部２Ｂが形成されている。この膨出部２Ｂは、照明具付化粧部材１を例えば階段１０の段板１２に取り付けるとき、膨出部２Ｂの端部が段板１２に引っかかるようになっており、このとき、突出部２Ａの内側には、階段１０の蹴込み板１３と、突出部２Ａの先端から膨出部２Ｂまでとで形成される空間部２Ｃが形成されることになる。
また、板状本体２の裏面には、その長さ方向に沿って多数条の溝２Ｄが形成されている。
【００２２】
なお、突出部２Ａには板状本体２の長さ方向に連続する中空部２Ｅ、膨出部２Ｂには板状本体２の長さ方向に連続する中空部２Ｆがそれぞれ設けられている。また、板状本体２の長さ寸法Ｌおよび幅寸法Ｗは、照明具付化粧部材１を使用する部位に応じて任意に設定することができる。
【００２３】
以上のような板状本体２は、木粉入り樹脂を、押し出し成形する樹脂押出成形品として形成されている。この木粉入り樹脂は、軟質または半硬質の熱可塑性樹脂と微粒子の木粉とを主成分とする組成物で形成されている。
【００２４】
電灯３は、例えば拡散型発光ダイオード（ＬＥＤ）で構成されており、板状本体２の突出部２Ａ内側面に固定されて空間部２Ｃ内に収容されている。電灯３には、プラス、マイナスの電線を含み形成された電線としてのケーブル４が接続されており、このケーブル４には、例えばオス型のコネクタ５が接続されている。従って、照明具付化粧部材１を、例えば図２等に示すように、階段１０の段板１２を照らす照明構造用として使用する場合、コネクタ５を電源側に接続されている中継ケーブル７のメス型のコネクタ６と接続させれば電気が流れて灯りがつくようになる。
【００２５】
このような実施形態によれば、次のような効果がある。
(1) 照明具付化粧部材１が、板状本体２と電灯３とを備えて構成され、持ち運び自在となっており、電灯に接続されているコネクタ５を、電源と接続可能なコネクタと接続することで、電灯３に灯りをつけることができるので、任意の場所で使用することができ、利用範囲の広いものとすることができる。例えば階段１０の段板１２に取り付けて階段の足元灯として使用する場合、階段の照明を簡単な構造で行うことができる。
【００２６】
(2) 電灯３が板状本体２の空間部２Ｃ内に収容されているので、空間部２Ｃで保護される。従って、照明具付化粧部材１を階段１０の足元灯として使用したとき、階段１０の上り下り時に足が当たったりすることがなく、長寿命化を図れる。
(3) 照明具付化粧部材１の板状本体２は、木粉入り樹脂を押し出し成形して形成されているので、製作が容易であるとともに、必要に応じて多数の板状本体を寸法精度を維持して容易に形成できる。
【００２７】
(4) 板状本体２が、上述のように、木粉入り樹脂を押し出し成形して形成されているので、木材の雰囲気を得ることができて見映えもよく、例えば階段１０の段板１２に被せて用いても何ら違和感がなく、また、板状本体２の長寿命化を図れる。
(5) 電灯３は発光ダイオード（ＬＥＤ）で構成されているので、電気代が安い上に、故障がほとんどなくてメンテナンスがほとんど不要となる。
【００２８】
(6) 板状本体２の裏面には多数条の溝２Ｄが設けられ、また、突出部２Ａには中空部２Ｅ、膨出部２Ｂには中空部２Ｆがそれぞれ設けられているので、板状本体２の軽量化を図れる。そのため、持ち運びが容易となるとともに、押出成形品を形成する際に材料を節約できる。
【００２９】
次に、本発明の第２実施形態を説明する。
本実施形態は、以上のような構成の照明具付化粧部材１を、図２〜図４に示すように、階段１０の例えば化粧段板用として利用したものである。
階段１０は、両側の側板１１と、側板１１間に架けわたされた複数の段板１２と、これらの段板１２の前端部に設けられた蹴込板１３とを備えて構成されている。蹴込板１３は、蹴込板本体１３Ａと、その前面に設けられた化粧蹴込板１３とを含み構成されている。そして、この化粧蹴込板１３Ｂは、上段と下段の段板１２の上面間の寸法よりわずかに短い寸法に形成されており、各段板１２に組み込まれたとき、化粧蹴込板１３Ｂの上端と各段板１２の上面との間に所定の隙間Ｓ（図３参照）が形成されるようになっている。
【００３０】
以上のような階段１０の段板１２に化粧段板として照明具付化粧部材１を取り付けるには、図３に示すように、照明具付化粧部材１における板状本体２の膨出部２Ｂ内側面を段板１２の前端面に押し付け、かつ板状本体２の裏面を段板１２の上面に押し付けて、接着等により行われる。そして、このとき、板状本体２の突出部２Ａにより段板１２の段鼻部１５が形成されることになる。
【００３１】
各段板１２には、前記電灯３に接続されたケーブル４を段板１２の裏側で配線できるように、ケーブル４およびコネクタ５を挿通可能とする配線用の穴１２Ａが上縁部から裏側下方に向けてあけられており、蹴込板本体１３Ａの上部にも、上記配線用の穴１２Ａに連続する配線用の穴１３Ｃがあけられている。
【００３２】
前記コネクタ５は、各段板１２の裏側において配線用の穴１２Ａから露出した位置で、メス型のコネクタ６と接続されており、このコネクタ６は電源に接続された中継ケーブル７と接続されている。
中継ケーブル７は、上下の段板１２に設けられた照明具付化粧部材１の電灯３同士を接続しており、最下段の段板１２から引き出された中継ケーブル７は、例えば最下段の蹴込板１３に設けられた図示しない電源コントローラに接続されている。
【００３３】
以上のような照明具付化粧部材１の取り付けは、図４に示すように、まず、階段１０の蹴込板本体１３Ａの前面に化粧蹴込板１３を取り付けておいて、次に、段板１２の配線用の穴１２Ａを通して、段板１２の裏側のコネクタ６が接続された中継ケーブル７の一部を段板１２の表側に引き出し、広い場所で、コネクタ６と照明具付化粧部材１のケーブル４のコネクタ５とを接続する。
【００３４】
その後、接続したケーブル４と中継ケーブル７との一部を配線用の穴１２Ａに挿通させ、それらを段板１２の裏側から引っ張るとともに、図２，３に示すように、板状本体２の裏面を段板１２の上面に当接させ、かつ膨出部２Ｂの内側面を化粧蹴込板１３Ｂの前面に当接させて取り付ける。
そして、例えば最下段の段板１２に配線された中継ケーブル７を図示しない電源コントローラに接続し、スイッチを入れることで、すべての電灯３に灯りがともり、図２に示すように、それぞれ上の段板１２の電灯３からの光により下の段板１２の上面が照らされるようになる。
【００３５】
このような第２実施形態によれば、次のような効果がある。
(7) 照明具付化粧部材１を階段１０の段板１２と蹴込板１３とにわたって被せ、照明具付化粧部材１の電灯３を、各段板１２ごとに、ケーブル４のコネクタ５と中継ケーブル７のコネクタ６とを接続し、１本のケーブルを電源コントローラに接続すれば、階段１０の段板１２を照明することができるので、階段の照明を簡単な構成で行うことができる。
【００３６】
(8) 階段１０のリフォームの際にも、所定の段板１２に代えて照明具付化粧部材１を取り付ければよく、リフォームが容易である。
(9) 照明具付化粧部材１を階段１０の段板１２と蹴込板１３とにわたって被せたとき、板状本体２の一端部の突出部２Ａが段板１２の段鼻部１５を形成することになり、段板１２と蹴込板１３との間に段鼻部１５を新たに形成しなくてもよく、その分の製作の手間が不要となる。
【００３７】
(10) 階段１０の段板１２に配線用の穴１２Ａがあけられており、照明具付化粧部材１の電灯３に接続されたケーブル４を中継ケーブル７と接続した後、配線用の穴１２Ａから、段板１２の裏側に引っ張ってまとめることができるので、電気配線が段板１２の表側に表れず、階段の上り下りの邪魔とならず、また見映えがよい。
(11) 蹴込板１３を構成する化粧蹴込板１３の上端と各段板１２の上面との間に所定の隙間Ｓが形成されているので、照明具付化粧部材１の電灯３に接続されたケーブル４を配線用の穴１２Ａに挿通させるとき、上記隙間Ｓから通すことができ、化粧蹴込板１３の上端が配線の邪魔とならない。
【００３８】
なお、本発明は前記各実施形態に限定されるものではなく、本発明の目的を達成できるものであれば、次のような変形形態でもよいものである。
例えば、前記第２実施形態では、照明具付化粧部材１の光源３からのケーブルは、段板１２の配線用の穴１２Ａを挿通させ、段板１２の裏側で配線されていたが、これに限らず、例えば図５に示すように、板状本体２の突出部２Ａの空間部２Ｃに沿わせて配線し、ケーブル４、コネクタ５が挿通可能なように段板１２と側板１１との間に形成された所定の隙間から段板１２の裏側に配線するようにしてもよい。このようにすると、配線が容易であるとともに、段板１２に配線用の穴をあけなくてもよく、その分の手間を省略できる。
【００３９】
また、前記第２実施形態では、電灯３を板状本体２の突出部２Ａの空間部２Ｃに嵌め込んで取り付け、空間部２Ｃの下端から光が放射されるようになっているが、例えば図６に示すように、突出部２Ａの内部に形成された中空部２Ｅ、２Ｆの外側面および上側面に採光穴２Ｇを形成し、それらの採光穴２Ｇからも光が照射されるようにしてもよい。このようにすれば、一つの電灯３で下方、前方および上方も照らされるようになり、階段の照明をより一層明るくできる。
【００４０】
さらに、前記第２実施形態では、照明具付化粧部材１を、階段１０の各段板１２に取り付けて階段照明用に使用したが、これに限らず、図７に示すように、照明具付化粧部材２１における板状本体２２の突出部２２Ａを、例えば玄関等のホール２０の壁２３の下部に設けられた巾木を板状本体２２の幅に合わせて切り欠き、その切り欠き部に板状本体２２の突出部２２Ａを上向きに嵌め込み、電灯３を突出部２２Ａの側面から光が照射されるように設け、ホール２０の壁２３に近い部位を照らすことができるようにしてもよい。
なお、板状本体２２の平面部は、ホール２０の床部２５の上面に敷設された床面材２６と同一高さで連続している。
このような実施形態では、ホール２０の壁２３に近い部位の照明が容易にできるので、夜等のように全体を照らす必要のないときに利用価値が大きい。
【００４１】
また、前記第２実施形態では、照明具付化粧部材１を、階段１０の各段板１２に取り付けて階段照明用に使用したが、図８に示すように、照明具付化粧部材３１を板状本体３２の突出部３２Ａが下向きとなるように、例えば玄関の床面３５に設けられた上り框３０に嵌め込んで、上り框３０の上がり口近傍を照らせるようにしてもよい。すなわち、板状本体３２の平面部は、上り框３０の上面に敷設された床面材３６と同一高さで連続しており、板状本体３２の突出部３２Ａの内部には、電灯３が収容されている。
このような実施形態では、上り框３０に近い部位の玄関の床部の照明が容易にできるので、夜等のように全体を照らす必要のないときに利用価値が大きい。
【００４２】
また、前記実施形態では、照明具付化粧部材１の板状本体２に形成された突出部２Ａには、内側に空間部２Ｃが形成されているが、これに限らず、例えば図８の実施形態と同じように、突出部２Ａの厚さを例えば内側の空間部２Ｃを含む厚さに形成して突出部内に凹部を形成し、その凹部内に光源を収納するようにしてもよい。
【００４３】
【発明の効果】
以上に説明したように、請求項１の発明によれば、照明具付化粧部材が持ち運び自在なので、その照明具付化粧部材を任意の部位、例えば階段のそれぞれの段板に取り付けることができる。また、照明具付化粧部材の光源に電気を接続すれば容易に照明を行えるので、例えば階段に用いることで、それぞれ下側の段板を照らすことができるようになり、その結果、階段の段板の照明を簡単な構造で行うことができる。
【００４４】
請求項２に記載の発明によれば、光源が空間部内に収容されているので、光源が保護される。従って、照明具付化粧部材を階段の足元灯として使用したとき、階段の上り下り時に足が当たったりすることがなく、長寿命化を図れる。また、空間部を配線にも利用できる。
【００４５】
請求項３に記載の発明によれば、光源３は発光ダイオード（ＬＥＤ）で構成されているので、電気代が安い上に、故障がほとんどなくてメンテナンスがほとんど不要となり、その分の手間を省ける。
【００４６】
請求項４に記載の発明によれば、板状本体を樹脂押出成形品で形成できるので、製作が容易であるとともに、必要に応じて多数の板状本体を寸法精度を維持して容易に形成できる。
【００４７】
請求項５に記載の発明によれば、照明具付化粧部材の板状本体が木粉入り樹脂の押出成形品で形成されているので、木材の雰囲気を得ることができる。従って、照明具付化粧部材を、例えば階段の段板に取り付けて違和感がなく、見映えもよい。また、長寿命化を図れる。
【００４８】
請求項６に記載の発明によれば、照明具付化粧部材を段板と化粧蹴込板とにわたって被せ、照明具付化粧部材の光源に電源を接続すれば、階段の段板を照明することができるので、簡単な構造で容易に階段の照明を行うことができる。
また、階段のリフォームの際にも、所定の段板に代えて照明具付化粧部材を取り付ければよく、リフォームが容易である。
さらに、板状本体の一端部の突出部が段板の段鼻部を形成することになり、段板と蹴込板との間に段鼻部を新たに形成しなくてもよく、その分の製作の手間が不要となる。
【００４９】
請求項７に記載の発明によれば、化粧蹴込板の上端と、段板の上面との間に所定の隙間が形成されているので、この隙間を電気配線用に利用することができ、電気配線が容易となる。
【００５０】
請求項８に記載の発明によれば、電線を配線用の穴に挿通させるとともに、段板の裏側に引っ張ってまとめることができるので、電気配線が段板の表側に表れず、階段の上り下りの邪魔とならず、また見映えがよい。
【００５１】
請求項９に記載の発明によれば、電気配線が、板状本体の空間部を通りかつ段板の幅方向に沿って設けられているので、配線作業が容易であるとともに、電気配線用の穴を、例えば段板にあけなくてもすむので、その分の手間が省ける。
【００５２】
請求項１０に記載の発明によれば、板状本体の突出部の上面および前面の少なくともいずれかの面に、採光穴が形成されているので、空間部から得られる光の他に、採光穴からも光が得られるので、階段の足元がより明るくなる。
【図面の簡単な説明】
【図１】本発明の第１実施形態の照明具付化粧部材を示す斜視図である。
【図２】本発明の第２実施形態の階段に照明具付化粧部材を取り付けた状態を示す縦断面図である。
【図３】前記第２実施形態の要部を示す縦断面図である。
【図４】前記第２実施形態の要部を示す分解図である。
【図５】本発明の変形形態を示す斜視図である。
【図６】本発明の他の変形形態を示す縦断面図である。
【図７】本発明の他の変形形態を示す縦断面図である。
【図８】本発明の他の変形形態を示す縦断面図である。
【符号の説明】
１    照明具付化粧部材
２    板状本体
２Ａ    突出部
２Ｃ    空間部
３    光源である電灯
１０    階段
１２    段板
１３    蹴込板
Ｓ    隙間
２１，３１    照明具付化粧部材
【図１】
2004197438.tif 000003
【図２】
2004197438.tif 000004
【図３】
2004197438.tif 000005
【図４】
2004197438.tif 000006
【図５】
2004197438.tif 000007
【図６】
2004197438.tif 000008
【図７】
2004197438.tif 000009
【図８】
2004197438.tif 000010